【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
近接度に基づいてユーザに関連付けられたプロファイル情報を提供するための方法であって、
個人に関連付けられたワイヤレス識別情報送信機のサイティングを報告するように構成された近接ブロードキャスト受信機からサイティングメッセージをサーバにおいて受信することと、ここにおいて、前記サイティングメッセージは、前記ワイヤレス識別情報送信機のローリング識別子を含み、前記ローリング識別子は、前記ワイヤレス識別情報送信機のユニークなデバイス識別子と、前記サーバと共有される秘密鍵と、カウンタとを使用するアルゴリズムを介して生成される、
前記ローリング識別子に基づいて、前記ワイヤレス識別情報送信機が前記ユーザに関連付けられているかどうかを前記サーバにおいて判定することと、
前記近接ブロードキャスト受信機に関する前記サイティングメッセージ内に含まれる情報に基づいて、前記サイティングメッセージが登録されたサービスに関するものであるかどうかを前記サーバにおいて判定することと、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた記憶されたプロファイル情報内のプロファイル情報を識別することと、
前記識別された関連のあるプロファイル情報を含むメッセージを送信することとを備える、方法。
【請求項２】
前記関連のあるプロファイル情報が、個人のデモグラフィックス、関心、生年月日、住居、医療情報、健康状態、顧客の選好、ならびに衣類および靴のサイズの情報のうちの少なくとも１つを含む、請求項１に記載の方法。
【請求項３】
前記登録されたサービスに関連のある前記ユーザに関連付けられた前記記憶されたプロファイル情報内の関連のあるプロファイル情報を識別することが、
前記登録されたサービスに対応するカテゴリを識別することと、ここにおいて、カテゴリは、提供されるサービス、提供される製品、事業のタイプ、デモグラフィックス、関心、および前記登録されたサービスのターゲットオーディエンスのうちの少なくとも１つを記述する、
前記識別されたカテゴリを前記ユーザに関連付けられた前記プロファイル情報と照合することとを含む、請求項１に記載の方法。
【請求項４】
登録プロセスの間に前記ユーザから受信されたプロファイル情報を記憶することをさらに備える、請求項１に記載の方法。
【請求項５】
オンラインソースから前記ユーザに関する前記プロファイル情報を自動的に取得することをさらに備え、前記オンラインソースが、ソーシャルネットワーキングアカウントおよびショッピングウェブサイトのうちの少なくとも１つを含む、請求項１に記載の方法。
【請求項６】
前記ユーザからのプロファイル許可を記憶することをさらに備え、前記ワイヤレス識別情報送信機が前記ユーザに関連付けられていて、前記サイティングメッセージが前記登録されたサービスに関するものであるときに、前記登録されたサービスに関連のある前記ユーザに関連付けられた記憶されたプロファイル情報内のプロファイル情報を識別することは、前記ワイヤレス識別情報送信機が前記ユーザに関連付けられていて、前記サイティングメッセージが前記登録されたサービスに関するものであるときに、前記登録されたサービスと関連がある前記ユーザと関連付けられ前記ユーザからの前記記憶されたプロファイル許可によって承認される、前記関連のあるプロファイル情報を識別することを含む、請求項１に記載の方法。
【請求項７】
前記識別された関連のあるプロファイル情報を含むメッセージを送信することが、前記識別された関連のあるプロファイル情報を含む前記登録されたサービスに関連付けられたローカルコンピューティングデバイスに前記メッセージを送信することを含み、前記ローカルコンピューティングデバイスが、販売時点情報管理デバイス、前記登録されたサービスの従業員によって使用されるモバイルデバイス、および前記登録されたサービスに関連付けられた前記近接ブロードキャスト受信機のうちの少なくとも１つである、請求項１に記載の方法。
【請求項８】
前記ワイヤレス識別情報送信機が前記ユーザに関連付けられていて、前記サイティングメッセージが前記登録されたサービスに関するものであるときに、前記ワイヤレス識別情報送信機が前記登録されたサービスに関連付けられた販売時点情報管理デバイスの近くにあるかどうかを判定することをさらに備え、
前記識別された関連のあるプロファイル情報を含むメッセージを送信することが、前記ワイヤレス識別情報送信機の近くにある前記販売時点情報管理デバイスに前記メッセージを送信することを備え、
前記ユーザに関連付けられた前記識別された関連のあるプロファイル情報が、前記ユーザの識別情報を確認するための決済認証情報を含む、請求項１に記載の方法。
【請求項９】
前記決済認証情報が、住所情報、電子メールアドレス、写真、署名のサンプル、オーディオサンプル、クレジットカード情報、および推奨される銀行口座情報のうちの少なくとも１つを含む、請求項８に記載の方法。
【請求項１０】
近接度に基づいて個人のプロファイル情報を共有するための方法であって、
個人に関連付けられたワイヤレス識別情報送信機のサイティングを報告するように構成された近接ブロードキャスト受信機からサイティングメッセージをサーバにおいて受信することと、ここにおいて、前記サイティングメッセージは、前記ワイヤレス識別情報送信機のローリング識別子を含み、前記ローリング識別子は、前記ワイヤレス識別情報送信機のユニークなデバイス識別子と、前記サーバと共有される秘密鍵と、カウンタとを使用するアルゴリズムを介して生成される、
前記ワイヤレス識別情報送信機の前記ローリング識別子に基づいて第１のプロファイルを識別することと、
前記サイティングメッセージ内に含まれる前記近接ブロードキャスト受信機に関する情報に基づいて、第２のプロファイルを識別することと、
前記第１のプロファイルの許可に基づいて、共有されることが承認された、前記第１のプロファイルからの関連のあるプロファイル情報を識別することと、
前記第２のプロファイルの許可に基づいて、共有されることが承認された、前記第２のプロファイルからの関連のあるプロファイル情報を識別することと、
識別された、共有されることを承認された前記第１のプロファイルからの関連のあるプロファイル情報があるときに、前記第２のプロファイルに関連付けられた第１のデバイスに、共有されることを承認された前記第１のプロファイルからの前記関連のあるプロファイル情報を含む第１のメッセージを送信することと、
識別された、共有されることを承認された前記第２のプロファイルからの関連のあるプロファイル情報があるときに、前記第１のプロファイルに関連付けられた第２のデバイスに、共有されることを承認された前記第２のプロファイルからの前記関連のあるプロファイル情報を含む第２のメッセージを送信することとを含む、方法。
【請求項１１】
近接度に基づいてユーザに関連付けられたプロファイル情報を提供するように構成されたサーバであって、
個人に関連付けられたワイヤレス識別情報送信機のサイティングを報告するように構成された近接ブロードキャスト受信機からサイティングメッセージを前記サーバにおいて受信するための手段と、ここにおいて、前記サイティングメッセージは、ワイヤレス識別情報送信機のローリング識別子を含み、前記ローリング識別子は、前記ワイヤレス識別情報送信機のユニークなデバイス識別子と、前記サーバと共有される秘密鍵と、カウンタとを使用するアルゴリズムを介して生成される、
前記ローリング識別子に基づいて、前記ワイヤレス識別情報送信機が前記ユーザに関連付けられているかどうかを前記サーバにおいて判定するための手段と、
前記近接ブロードキャスト受信機に関する前記サイティングメッセージ内に含まれる情報に基づいて、前記サイティングメッセージが登録されたサービスに関するものであるかどうかを前記サーバにおいて判定するための手段と、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた記憶されたプロファイル情報内のプロファイル情報を識別するための手段と、
前記識別された関連のあるプロファイル情報を含むメッセージを送信するための手段とを備える、サーバ。
【請求項１２】
近接度に基づいて個人のプロファイル情報を共有するように構成されたサーバであって、
個人に関連付けられたワイヤレス識別情報送信機のサイティングを報告するように構成された近接ブロードキャスト受信機からサイティングメッセージを前記サーバにおいて受信するための手段と、ここにおいて、前記サイティングメッセージは、前記ワイヤレス識別情報送信機のローリング識別子を含み、前記ローリング識別子は、前記ワイヤレス識別情報送信機のユニークなデバイス識別子と、前記サーバと共有される秘密鍵と、カウンタとを使用するアルゴリズムを介して生成される、
前記ワイヤレス識別情報送信機の前記ローリング識別子に基づいて第１のプロファイルを識別するための手段と、
前記サイティングメッセージ内に含まれる近接ブロードキャスト受信機に関する情報に基づいて、第２のプロファイルを識別するための手段と、
前記第１のプロファイルの許可に基づいて、共有されることが承認された、前記第１のプロファイルからの関連のあるプロファイル情報を識別するための手段と、
前記第２のプロファイルの許可に基づいて、共有されることが承認された、前記第２のプロファイルからの関連のあるプロファイル情報を識別するための手段と、
識別された、共有されることを承認された前記第１のプロファイルからの関連のあるプロファイル情報があるときに、前記第２のプロファイルに関連付けられた第１のデバイスに、共有されることを承認された前記第１のプロファイルからの前記関連のあるプロファイル情報を含む第１のメッセージを送信するための手段と、
識別された、共有されることを承認された前記第２のプロファイルからの関連のあるプロファイル情報があるときに、前記第１のプロファイルに関連付けられた第２のデバイスに、共有されることを承認された前記第２のプロファイルからの前記関連のあるプロファイル情報を含めて、第２のメッセージを送信するための手段とを備える、サーバ。
【請求項１３】
請求項１または請求項１０に記載の方法をサーバに実行させるように構成された、サーバ実行可能命令を記憶した非一時的サーバ可読記憶媒体。
【請求項１４】
サーバと、
ワイヤレス識別情報送信機と、
近接ブロードキャスト受信機とを備えるシステムであって、
前記ワイヤレス識別情報送信機が、
第１のメモリと、
前記近接ブロードキャスト受信機によって受信されることが可能な短距離ワイヤレス信号をブロードキャストするように構成された第１の送受信機と、
前記第１のメモリおよび前記第１の送受信機に結合された第１のプロセッサとを備え、前記第１のプロセッサが、
個人に関連付けられた前記ワイヤレス識別情報送信機のユニークなデバイス識別子と、前記サーバと共有される秘密鍵と、カウンタとを使用するアルゴリズムを介して、定期的にローリング識別子を生成することと、
前記ワイヤレス識別情報送信機の前記ローリング識別子を含む短距離ワイヤレス信号を、前記第１の送受信機を介して定期的にブロードキャストすることと
を備える動作を実行するように、プロセッサ実行可能命令によって構成され、
前記近接ブロードキャスト受信機が、
第２のメモリと、
前記ワイヤレス識別情報送信機と短距離ワイヤレス信号を交換するように構成された第２の送受信機と、
前記サーバと信号を交換するように構成されたネットワークデバイスと、
前記第２のメモリ、前記第２の送受信機、および前記ネットワークデバイスに結合された第２のプロセッサとを備え、前記第２のプロセッサが、
近接の範囲内の前記ワイヤレス識別情報送信機によってブロードキャストされる前記ローリング識別子を含む前記短距離ワイヤレス信号を、前記第２の送受信機を介して受信することと、
前記受信された信号に応答してサイティングメッセージを生成することと、ここにおいて、前記サイティングメッセージは前記ローリング識別子と関連するデータとを含む、
前記ネットワークデバイスを使用し、長距離通信を介して前記サイティングメッセージを送信することと
を備える動作を実行するように、プロセッサ実行可能命令によって構成され、
前記サーバが、
ユーザに関連付けられたプロファイル情報を記憶することと、
前記ローリング識別子を含む前記サイティングメッセージを前記サーバにおいて受信することと、
前記ローリング識別子に基づいて、前記ワイヤレス識別情報送信機が前記ユーザに関連付けられているかどうかを前記サーバにおいて判定することと、
前記近接ブロードキャスト受信機に関する前記サイティングメッセージ内に含まれる情報に基づいて、前記サイティングメッセージが登録されたサービスに関するものであるかどうかを前記サーバにおいて判定することと、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた前記記憶されたプロファイル情報内の関連のあるプロファイル情報を識別することと、
前記識別された関連のあるプロファイル情報を含むメッセージを送信することと
を備える動作を実行するようにサーバ実行可能命令によって構成される、システム。
【請求項１５】
サーバと、
ワイヤレス識別情報送信機と、
近接ブロードキャスト受信機とを備えるシステムであって、
前記ワイヤレス識別情報送信機が、
第１のメモリと、
前記近接ブロードキャスト受信機によって受信されることが可能な短距離ワイヤレス信号をブロードキャストするように構成された第１の送受信機と、
前記第１のメモリおよび前記第１の送受信機に結合された第１のプロセッサとを備え、前記第１のプロセッサが、
個人に関連付けられた前記ワイヤレス識別情報送信機のユニークなデバイス識別子と、前記サーバと共有される秘密鍵と、カウンタとを使用するアルゴリズムを介して、定期的にローリング識別子を生成することと、
前記ワイヤレス識別情報送信機の前記ローリング識別子を含む短距離ワイヤレス信号を、前記第１の送受信機を介して定期的にブロードキャストすることと
を備える動作を実行するように、プロセッサ実行可能命令によって構成され、
前記近接ブロードキャスト受信機が、
第２のメモリと、
前記ワイヤレス識別情報送信機と短距離ワイヤレス信号を交換するように構成された第２の送受信機と、
前記サーバと信号を交換するように構成されたネットワークデバイスと、
前記第２のメモリ、前記第２の送受信機、および前記ネットワークデバイスに結合された第２のプロセッサとを備え、前記第２のプロセッサが、
近接の範囲内の前記ワイヤレス識別情報送信機によってブロードキャストされる前記ローリング識別子を含む前記短距離ワイヤレス信号を、前記第２の送受信機を介して受信することと、
前記受信された信号に応答してサイティングメッセージを生成することと、ここにおいて、前記サイティングメッセージは前記ローリング識別子と関連するデータとを含む、
前記ネットワークデバイスを使用し、長距離通信を介して前記サイティングメッセージを送信することと
を備える動作を実行するように、プロセッサ実行可能命令によって構成され、
前記サーバが、
前記ローリング識別子を含む前記サイティングメッセージを前記サーバにおいて受信することと、
前記ワイヤレス識別情報送信機の前記ローリング識別子に基づいて第１のプロファイルを識別することと、
前記サイティングメッセージ内に含まれる前記近接ブロードキャスト受信機に関する情報に基づいて、第２のプロファイルを識別することと、
前記第１のプロファイルの許可に基づいて、共有されることが承認された、前記第１のプロファイルからの関連のあるプロファイル情報を識別することと、
前記第２のプロファイルの許可に基づいて、共有されることが承認された、前記第２のプロファイルからの関連のあるプロファイル情報を識別することと、
識別された、共有されることを承認された前記第１のプロファイルからの関連のあるプロファイル情報があるときに、前記第２のプロファイルに関連付けられた第１のデバイスに、共有されることを承認された前記第１のプロファイルからの前記関連のあるプロファイル情報を含む第１のメッセージを送信することと、
識別された、共有されることを承認された前記第２のプロファイルからの関連のあるプロファイル情報があるときに、前記第１のプロファイルに関連付けられた第２のデバイスに、共有されることを承認された前記第２のプロファイルからの前記関連のあるプロファイル情報を含む第２のメッセージを送信することと
を備える動作を実行するように、サーバ実行可能命令によって構成される、システム。
【手続補正２】
【補正対象書類名】明細書
【補正対象項目名】０４００
【補正方法】変更
【補正の内容】
【０４００】
[0450]開示された実施形態の上記の説明は、当業者が本発明を製作または使用することを可能にするように提供されたものである。これらの実施形態への様々な修正は当業者には容易に明らかであり、本明細書で定義された一般原理は、本発明の趣旨または範囲から逸脱することなく他の実施形態に適用され得る。したがって、本発明は、本明細書で示された実施形態に限定されるものではなく、以下の特許請求の範囲ならびに本明細書で開示される原理および新規の特徴に合致する最も広い範囲を与えられるべきである。
以下に、出願当初の特許請求の範囲に記載された発明を付記する。
［Ｃ１］
近接度に基づいてユーザに関連付けられたプロファイル情報を提供するための方法であって、
個人に関連付けられたワイヤレス識別情報送信機のローリング識別子を含むサイティングメッセージをサーバにおいて受信することと、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ローリング識別子に基づいて、前記ワイヤレス識別情報送信機が前記ユーザに関連付けられているかどうかを前記サーバにおいて判定することと、
近接ブロードキャスト受信機に関する前記サイティングメッセージ内に含まれる情報に基づいて、前記サイティングメッセージが登録されたサービスに関するものであるかどうかを前記サーバにおいて判定することと、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた記憶されたプロファイル情報内のプロファイル情報を識別することと、
前記識別された関連のあるプロファイル情報を含むメッセージを送信することとを備える、方法。
［Ｃ２］
前記関連のあるプロファイル情報が、個人のデモグラフィックス、関心、生年月日、住居、医療情報、健康状態、顧客の選好、ならびに衣類および靴のサイズの情報のうちの少なくとも１つを含む、上記Ｃ１に記載の方法。
［Ｃ３］
前記登録されたサービスに関連のある前記ユーザに関連付けられた前記記憶されたプロファイル情報内の関連のあるプロファイル情報を識別することが、
前記登録されたサービスに対応するカテゴリを識別することと、ここにおいて、カテゴリは、提供されるサービス、提供される製品、事業のタイプ、デモグラフィックス、関心、および前記登録されたサービスのターゲットオーディエンスのうちの少なくとも１つを記述する、
前記識別されたカテゴリを前記ユーザに関連付けられた前記プロファイル情報と照合することとを含む、上記Ｃ１に記載の方法。
［Ｃ４］
登録プロセスの間に前記ユーザから受信されたプロファイル情報を記憶することをさらに備える、上記Ｃ１に記載の方法。
［Ｃ５］
オンラインソースから前記ユーザに関する前記プロファイル情報を自動的に取得することをさらに備え、前記オンラインソースが、ソーシャルネットワーキングアカウントおよびショッピングウェブサイトのうちの少なくとも１つを含む、上記Ｃ１に記載の方法。
［Ｃ６］
前記ユーザからのプロファイル許可を記憶することをさらに備え、前記ワイヤレス識別情報送信機が前記ユーザに関連付けられていて、前記サイティングメッセージが前記登録されたサービスに関するものであるときに、前記登録されたサービスに関連のある前記ユーザに関連付けられた記憶されたプロファイル情報内のプロファイル情報を識別することは、前記ワイヤレス識別情報送信機が前記ユーザに関連付けられていて、前記サイティングメッセージが前記登録されたサービスに関するものであるときに、前記登録されたサービスと関連がある前記ユーザと関連付けられ前記ユーザからの前記記憶されたプロファイル許可によって承認される、前記関連のあるプロファイル情報を識別することを含む、上記Ｃ１に記載の方法。
［Ｃ７］
前記識別された関連のあるプロファイル情報を含むメッセージを送信することが、前記識別された関連のあるプロファイル情報を含む前記登録されたサービスに関連付けられたローカルコンピューティングデバイスに前記メッセージを送信することを含み、前記ローカルコンピューティングデバイスが、販売時点情報管理デバイス、前記登録されたサービスの従業員によって使用されるモバイルデバイス、および前記登録されたサービスに関連付けられた前記近接ブロードキャスト受信機のうちの少なくとも１つである、上記Ｃ１に記載の方法。
［Ｃ８］
前記ワイヤレス識別情報送信機が前記ユーザに関連付けられていて、前記サイティングメッセージが前記登録されたサービスに関するものであるときに、前記ワイヤレス識別情報送信機が前記登録されたサービスに関連付けられた販売時点情報管理デバイスの近くにあるかどうかを判定することをさらに備え、
前記識別された関連のあるプロファイル情報を含むメッセージを送信することが、前記ワイヤレス識別情報送信機の近くにある前記販売時点情報管理デバイスに前記メッセージを送信することを備え、
前記ユーザに関連付けられた前記識別された関連のあるプロファイル情報が、前記ユーザの識別情報を確認するための決済認証情報を含む、上記Ｃ１に記載の方法。
［Ｃ９］
前記決済認証情報が、住所情報、電子メールアドレス、写真、署名のサンプル、オーディオサンプル、クレジットカード情報、および推奨される銀行口座情報のうちの少なくとも１つを含む、上記Ｃ８に記載の方法。
［Ｃ１０］
近接度に基づいて個人のプロファイル情報を共有するための方法であって、
前記個人に関連付けられたワイヤレス識別情報送信機のローリング識別子を含むサイティングメッセージをサーバにおいて受信することと、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ワイヤレス識別情報送信機の前記ローリング識別子に基づいて第１のプロファイルを識別することと、
前記サイティングメッセージ内に含まれる近接ブロードキャスト受信機に関する情報に基づいて、第２のプロファイルを識別することと、
前記第１のプロファイルの許可に基づいて、共有されることが承認された、前記第１のプロファイルからの関連のあるプロファイル情報を識別することと、
前記第２のプロファイルの許可に基づいて、共有されることが承認された、前記第２のプロファイルからの関連のあるプロファイル情報を識別することと、
識別された、共有されることを承認された前記第１のプロファイルからの関連のあるプロファイル情報があるときに、前記第２のプロファイルに関連付けられた第１のデバイスに第１のメッセージを送信することと、
識別された、共有されることを承認された前記第２のプロファイルからの関連のあるプロファイル情報があるときに、前記第１のプロファイルに関連付けられた第２のデバイスに第２のメッセージを送信することとを含む、方法。
［Ｃ１１］
サーバプロセッサを備える、近接度に基づいてユーザに関連付けられたプロファイル情報を提供するように構成されたサーバであって、
前記サーバプロセッサが、
個人に関連付けられたワイヤレス識別情報送信機のローリング識別子を含むサイティングメッセージを前記サーバにおいて受信することと、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ローリング識別子に基づいて、前記ワイヤレス識別情報送信機が前記ユーザに関連付けられているかどうかを前記サーバにおいて判定することと、
近接ブロードキャスト受信機に関する前記サイティングメッセージ内に含まれる情報に基づいて、前記サイティングメッセージが登録されたサービスに関するものであるかどうかを前記サーバにおいて判定することと、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた記憶されたプロファイル情報内のプロファイル情報を識別することと、
前記識別された関連のあるプロファイル情報を含むメッセージを送信することと
を備える動作を実行するようにサーバ実行可能命令によって構成される、サーバ。
［Ｃ１２］
前記関連のあるプロファイル情報が、個人のデモグラフィックス、関心、生年月日、住居、医療情報、健康状態、顧客の選好、ならびに衣類および靴のサイズの情報のうちの少なくとも１つを含む、上記Ｃ１１に記載のサーバ。
［Ｃ１３］
前記登録されたサービスに関連のある前記ユーザに関連付けられた前記記憶されたプロファイル情報内の関連のあるプロファイル情報を識別することが、
前記登録されたサービスに対応するカテゴリを識別することと、ここにおいて、カテゴリは、提供されるサービス、提供される製品、事業のタイプ、デモグラフィックス、関心、および前記登録されたサービスのターゲットオーディエンスのうちの少なくとも１つを記述する、
前記識別されたカテゴリを前記ユーザに関連付けられた前記プロファイル情報と照合することとを備えるように動作を実行するように、前記サーバプロセッサがサーバ実行可能命令によって構成される、上記Ｃ１１に記載のサーバ。
［Ｃ１４］
前記サーバプロセッサが、登録プロセスの間に前記ユーザから受信されたプロファイル情報を記憶することをさらに備える動作を実行するように、サーバ実行可能命令によって構成される、上記Ｃ１１に記載のサーバ。
［Ｃ１５］
前記サーバプロセッサが、オンラインソースから前記ユーザに関する前記プロファイル情報を自動的に取得することをさらに備える動作を実行するようにサーバ実行可能命令によって構成され、前記オンラインソースが、ソーシャルネットワーキングアカウントおよび買物ウェブサイトのうちの少なくとも１つを含む、上記Ｃ１１に記載のサーバ。
［Ｃ１６］
前記サーバプロセッサが、前記ユーザからのプロファイル許可を記憶することをさらに備える動作を実行するようにサーバ実行可能命令によって構成され、ここにおいて、前記ワイヤレス識別情報送信機が前記ユーザに関連付けられていて、前記サイティングメッセージが前記登録されたサービスに関するものであるときに、前記登録されたサービスに関連のある前記ユーザに関連付けられた記憶されたプロファイル情報内のプロファイル情報を識別することが、前記ワイヤレス識別情報送信機が前記ユーザに関連付けられていて、前記サイティングメッセージが前記登録されたサービスに関するものであるときに、前記登録されたサービスと関連がある前記ユーザと関連付けられ前記ユーザからの前記記憶されたプロファイル許可によって承認される、前記関連のあるプロファイル情報を識別することを含むように動作を実行するように、前記サーバプロセッサがサーバ実行可能命令によって構成される、上記Ｃ１１に記載のサーバ。
［Ｃ１７］
前記識別された関連のあるプロファイル情報を含むメッセージを送信することが、前記識別された関連のあるプロファイル情報を含む前記登録されたサービスに関連付けられたローカルコンピューティングデバイスに前記メッセージを送信することを含むように動作を実行するように、前記サーバプロセッサがサーバ実行可能命令によって構成され、前記ローカルコンピューティングデバイスが、販売時点情報管理デバイス、前記登録されたサービスの従業員によって使用されるモバイルデバイス、および前記登録されたサービスに関連付けられた前記近接ブロードキャスト受信機のうちの少なくとも１つである、上記Ｃ１１に記載のサーバ。
［Ｃ１８］
前記サーバプロセッサが、
前記ワイヤレス識別情報送信機が前記ユーザに関連付けられていて、前記サイティングメッセージが前記登録されたサービスに関するものであるときに、前記ワイヤレス識別情報送信機が前記登録されたサービスに関連付けられた販売時点情報管理デバイスの近くにあるかどうかを判定することをさらに備える動作を実行するように、サーバ実行可能命令によって構成され、
前記識別された関連のあるプロファイル情報を含むメッセージを送信することが、前記ワイヤレス識別情報送信機の近くにある前記販売時点情報管理デバイスに前記メッセージを送信することを備えるように動作を実行するように、前記サーバプロセッサがサーバ実行可能命令によって構成され、
前記ユーザに関連付けられた前記識別された関連のあるプロファイル情報が、前記ユーザの識別情報を確認するための決済認証情報を含む、上記Ｃ１１に記載のサーバ。
［Ｃ１９］
前記決済認証情報が、住所情報、電子メールアドレス、写真、署名のサンプル、オーディオサンプル、クレジットカード情報、および推奨される銀行口座情報のうちの少なくとも１つを含む、上記Ｃ１８に記載のサーバ。
［Ｃ２０］
サーバプロセッサを備える、近接度に基づいて個人のプロファイル情報を共有するように構成されたサーバであって、
前記サーバプロセッサが、
前記個人に関連付けられたワイヤレス識別情報送信機のローリング識別子を含むサイティングメッセージを前記サーバにおいて受信することと、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ワイヤレス識別情報送信機の前記ローリング識別子に基づいて第１のプロファイルを識別することと、
前記サイティングメッセージ内に含まれる近接ブロードキャスト受信機に関する情報に基づいて、第２のプロファイルを識別することと、
前記第１のプロファイルの許可に基づいて、共有されることが承認された、前記第１のプロファイルからの関連のあるプロファイル情報を識別することと、
前記第２のプロファイルの許可に基づいて、共有されることが承認された、前記第２のプロファイルからの関連のあるプロファイル情報を識別することと、
識別された、共有されることを承認された前記第１のプロファイルからの関連のあるプロファイル情報があるときに、前記第２のプロファイルに関連付けられた第１のデバイスに第１のメッセージを送信することと、
識別された、共有されることを承認された前記第２のプロファイルからの関連のあるプロファイル情報があるときに、前記第１のプロファイルに関連付けられた第２のデバイスに第２のメッセージを送信することと
を備える動作を実行するようにサーバ実行可能命令によって構成される、サーバ。
［Ｃ２１］
近接度に基づいてユーザに関連付けられたプロファイル情報を提供するように構成されたサーバであって、
個人に関連付けられたワイヤレス識別情報送信機のローリング識別子を含むサイティングメッセージを前記サーバにおいて受信するための手段と、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ローリング識別子に基づいて、前記ワイヤレス識別情報送信機が前記ユーザに関連付けられているかどうかを前記サーバにおいて判定するための手段と、
近接ブロードキャスト受信機に関する前記サイティングメッセージ内に含まれる情報に基づいて、前記サイティングメッセージが登録されたサービスに関するものであるかどうかを前記サーバにおいて判定するための手段と、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた記憶されたプロファイル情報内のプロファイル情報を識別するための手段と、
前記識別された関連のあるプロファイル情報を含むメッセージを送信するための手段とを備える、サーバ。
［Ｃ２２］
前記関連のあるプロファイル情報が、個人のデモグラフィックス、関心、生年月日、住居、医療情報、健康状態、顧客の選好、ならびに衣類および靴のサイズの情報のうちの少なくとも１つを含む、上記Ｃ２１に記載のサーバ。
［Ｃ２３］
前記登録されたサービスに関連のある前記ユーザに関連付けられた前記記憶されたプロファイル情報内の関連のあるプロファイル情報を識別するための手段が、
前記登録されたサービスに対応するカテゴリを識別するための手段と、ここにおいて、カテゴリは、提供されるサービス、提供される製品、事業のタイプ、デモグラフィックス、関心、および前記登録されたサービスのターゲットオーディエンスのうちの少なくとも１つを記述する、
前記識別されたカテゴリを前記ユーザに関連付けられた前記プロファイル情報と照合するための手段とを含む、上記Ｃ２１に記載のサーバ。
［Ｃ２４］
登録プロセスの間に前記ユーザから受信されたプロファイル情報を記憶するための手段をさらに備える、上記Ｃ２１に記載のサーバ。
［Ｃ２５］
オンラインソースから前記ユーザに関する前記プロファイル情報を自動的に取得するための手段をさらに備え、前記オンラインソースが、ソーシャルネットワーキングアカウントおよび買物ウェブサイトのうちの少なくとも１つを含む、上記Ｃ２１に記載のサーバ。
［Ｃ２６］
前記ユーザからのプロファイル許可を記憶するための手段をさらに備え、ここにおいて、前記ワイヤレス識別情報送信機が前記ユーザに関連付けられていて、前記サイティングメッセージが前記登録されたサービスに関するものであるときに、前記登録されたサービスに関連のある前記ユーザに関連付けられた記憶されたプロファイル情報内のプロファイル情報を識別するための手段が、前記ワイヤレス識別情報送信機が前記ユーザに関連付けられていて、前記サイティングメッセージが前記登録されたサービスに関するものであるときに、前記登録されたサービスと関連がある前記ユーザと関連付けられ前記ユーザからの前記記憶されたプロファイル許可によって承認される、前記関連のあるプロファイル情報を識別するための手段を含む、上記Ｃ２１に記載のサーバ。
［Ｃ２７］
前記識別された関連のあるプロファイル情報を含むメッセージを送信するための手段が、前記識別された関連のあるプロファイル情報を含む前記登録されたサービスに関連付けられたローカルコンピューティングデバイスに前記メッセージを送信するための手段を含み、前記ローカルコンピューティングデバイスが、販売時点情報管理デバイス、前記登録されたサービスの従業員によって使用されるモバイルデバイス、および前記登録されたサービスに関連付けられた前記近接ブロードキャスト受信機のうちの少なくとも１つである、上記Ｃ２１に記載のサーバ。
［Ｃ２８］
前記ワイヤレス識別情報送信機が前記ユーザに関連付けられていて、前記サイティングメッセージが前記登録されたサービスに関するものであるときに、前記ワイヤレス識別情報送信機が前記登録されたサービスに関連付けられた販売時点情報管理デバイスの近くにあるかどうかを判定するための手段をさらに備え、
前記識別された関連のあるプロファイル情報を含むメッセージを送信するための手段が、前記ワイヤレス識別情報送信機の近くにある前記販売時点情報管理デバイスに前記メッセージを送信するための手段を含み、
前記ユーザに関連付けられた前記識別された関連のあるプロファイル情報が、前記ユーザの識別情報を確認するための決済認証情報を含む、上記Ｃ２１に記載のサーバ。
［Ｃ２９］
前記決済認証情報が、住所情報、電子メールアドレス、写真、署名のサンプル、オーディオサンプル、クレジットカード情報、および推奨される銀行口座情報のうちの少なくとも１つを含む、上記Ｃ２８に記載のサーバ。
［Ｃ３０］
近接度に基づいて個人のプロファイル情報を共有するように構成されたサーバであって、
前記個人に関連付けられたワイヤレス識別情報送信機のローリング識別子を含むサイティングメッセージを前記サーバにおいて受信するための手段と、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ワイヤレス識別情報送信機の前記ローリング識別子に基づいて第１のプロファイルを識別するための手段と、
前記サイティングメッセージ内に含まれる近接ブロードキャスト受信機に関する情報に基づいて、第２のプロファイルを識別するための手段と、
前記第１のプロファイルの許可に基づいて、共有されることが承認された、前記第１のプロファイルからの関連のあるプロファイル情報を識別するための手段と、
前記第２のプロファイルの許可に基づいて、共有されることが承認された、前記第２のプロファイルからの関連のあるプロファイル情報を識別するための手段と、
識別された、共有されることを承認された前記第１のプロファイルからの関連のあるプロファイル情報があるときに、前記第２のプロファイルに関連付けられた第１のデバイスに第１のメッセージを送信するための手段と、
識別された、共有されることを承認された前記第２のプロファイルからの関連のあるプロファイル情報があるときに、前記第１のプロファイルに関連付けられた第２のデバイスに第２のメッセージを送信するための手段とを備える、サーバ。
［Ｃ３１］
近接度に基づいてユーザに関連付けられたプロファイル情報を提供するための動作をサーバに実行させるように構成された、サーバ実行可能命令を記憶した非一時的サーバ可読記憶媒体であって、前記動作が、
個人に関連付けられたワイヤレス識別情報送信機のローリング識別子を含むサイティングメッセージを前記サーバにおいて受信することと、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ローリング識別子に基づいて、前記ワイヤレス識別情報送信機が前記ユーザに関連付けられているかどうかを前記サーバにおいて判定することと、
近接ブロードキャスト受信機に関する前記サイティングメッセージ内に含まれる情報に基づいて、前記サイティングメッセージが登録されたサービスに関するものであるかどうかを前記サーバにおいて判定することと、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた記憶されたプロファイル情報内のプロファイル情報を識別することと、
前記識別された関連のあるプロファイル情報を含むメッセージを送信することとを備える、非一時的サーバ可読記憶媒体。
［Ｃ３２］
前記関連のあるプロファイル情報が、個人のデモグラフィックス、関心、生年月日、住居、医療情報、健康状態、顧客の選好、ならびに衣類および靴のサイズの情報のうちの少なくとも１つを含む、上記Ｃ３１に記載の非一時的サーバ可読記憶媒体。
［Ｃ３３］
前記登録されたサービスに関連のある前記ユーザに関連付けられた前記記憶されたプロファイル情報内の関連のあるプロファイル情報を識別することが、
前記登録されたサービスに対応するカテゴリを識別することと、ここにおいて、カテゴリは、提供されるサービス、提供される製品、事業のタイプ、デモグラフィックス、関心、および前記登録されたサービスのターゲットオーディエンスのうちの少なくとも１つを記述する、
前記識別されたカテゴリを前記ユーザに関連付けられた前記プロファイル情報と照合することとを備えるように前記サーバに動作を実行させるように、前記記憶されたサーバ実行可能命令が構成される、上記Ｃ３１に記載の非一時的サーバ可読記憶媒体。
［Ｃ３４］
前記記憶されたサーバ実行可能命令が、登録プロセスの間に前記ユーザから受信されたプロファイル情報を記憶することをさらに備える動作を前記サーバに実行させるように構成される、上記Ｃ３１に記載の非一時的サーバ可読記憶媒体。
［Ｃ３５］
前記記憶されたサーバ実行可能命令が、オンラインソースから前記ユーザに関する前記プロファイル情報を自動的に取得することをさらに備える動作を前記サーバに実行させるように構成され、前記オンラインソースが、ソーシャルネットワーキングアカウントおよび買物ウェブサイトのうちの少なくとも１つを含む、上記Ｃ３１に記載の非一時的サーバ可読記憶媒体。
［Ｃ３６］
前記記憶されたサーバ実行可能命令が、前記ユーザからのプロファイル許可を記憶することをさらに備える動作を前記サーバに実行させるように構成され、前記ワイヤレス識別情報送信機が前記ユーザに関連付けられていて、前記サイティングメッセージが前記登録されたサービスに関するものであるときに、前記登録されたサービスに関連のある前記ユーザに関連付けられた記憶されたプロファイル情報内のプロファイル情報を識別することが、前記ワイヤレス識別情報送信機が前記ユーザに関連付けられていて、前記サイティングメッセージが前記登録されたサービスに関するものであるときに、前記登録されたサービスと関連がある前記ユーザと関連付けられ前記ユーザからの前記記憶されたプロファイル許可によって承認される、前記関連のあるプロファイル情報を識別することを備えるように前記サーバに動作を実行させるように、前記記憶されたサーバ実行可能命令が構成される、上記Ｃ３１に記載の非一時的サーバ可読記憶媒体。
［Ｃ３７］
前記識別された関連のあるプロファイル情報を含むメッセージを送信することが、前記識別された関連のあるプロファイル情報を含む前記登録されたサービスに関連付けられたローカルコンピューティングデバイスに前記メッセージを送信することを備えるように前記サーバに動作を実行させるように、前記記憶されたサーバ実行可能命令が構成され、前記ローカルコンピューティングデバイスが、販売時点情報管理デバイス、前記登録されたサービスの従業員によって使用されるモバイルデバイス、および前記登録されたサービスに関連付けられた前記近接ブロードキャスト受信機のうちの少なくとも１つである、上記Ｃ３１に記載の非一時的サーバ可読記憶媒体。
［Ｃ３８］
前記記憶されたサーバ実行可能命令が、
前記ワイヤレス識別情報送信機が前記ユーザに関連付けられていて、前記サイティングメッセージが前記登録されたサービスに関するものであるときに、前記ワイヤレス識別情報送信機が前記登録されたサービスに関連付けられた販売時点情報管理デバイスの近くにあるかどうかを判定することをさらに備える動作を前記サーバに実行させるように構成され、
前記識別された関連のあるプロファイル情報を含むメッセージを送信することが、前記ワイヤレス識別情報送信機の近くにある前記販売時点情報管理デバイスに前記メッセージを送信することを備えるように前記サーバに動作を実行させるように、前記記憶されたサーバ実行可能命令が構成され、
前記ユーザに関連付けられた前記識別された関連のあるプロファイル情報が、前記ユーザの識別情報を確認するための決済認証情報を含む、上記Ｃ３１に記載の非一時的サーバ可読記憶媒体。
［Ｃ３９］
前記決済認証情報が、住所情報、電子メールアドレス、写真、署名のサンプル、オーディオサンプル、クレジットカード情報、および推奨される銀行口座情報のうちの少なくとも１つを含む、上記Ｃ３８に記載の非一時的サーバ可読記憶媒体。
［Ｃ４０］
近接度に基づいて個人のプロファイル情報を共有するための動作をサーバに実行させるように構成される、サーバ実行可能命令を記憶した非一時的サーバ可読記憶媒体であって、前記動作が、
前記個人に関連付けられたワイヤレス識別情報送信機のローリング識別子を含むサイティングメッセージを前記サーバにおいて受信することと、ここにおいて、前記ローリング識別子は、前記ワイヤレス識別情報送信機のユニークなデバイス識別子と、前記サーバと共有される秘密鍵と、カウンタとを使用するアルゴリズムを介して生成される、
前記ワイヤレス識別情報送信機の前記ローリング識別子に基づいて第１のプロファイルを識別することと、
前記サイティングメッセージ内に含まれる近接ブロードキャスト受信機に関する情報に基づいて、第２のプロファイルを識別することと、
前記第１のプロファイルの許可に基づいて、共有されることが承認された、前記第１のプロファイルからの関連のあるプロファイル情報を識別することと、
前記第２のプロファイルの許可に基づいて、共有されることが承認された、前記第２のプロファイルからの関連のあるプロファイル情報を識別することと、
識別された、共有されることを承認された前記第１のプロファイルからの関連のあるプロファイル情報があるときに、前記第２のプロファイルに関連付けられた第１のデバイスに第１のメッセージを送信することと、
識別された、共有されることを承認された前記第２のプロファイルからの関連のあるプロファイル情報があるときに、前記第１のプロファイルに関連付けられた第２のデバイスに第２のメッセージを送信することとを備える、非一時的サーバ可読記憶媒体。
［Ｃ４１］
サーバと、
ワイヤレス識別情報送信機と、
近接ブロードキャスト受信機とを備えるシステムであって、
前記ワイヤレス識別情報送信機が、
第１のメモリと、
前記近接ブロードキャスト受信機によって受信されることが可能な短距離ワイヤレス信号をブロードキャストするように構成された第１の送受信機と、
前記第１のメモリおよび前記第１の送受信機に結合された第１のプロセッサとを備え、前記第１のプロセッサが、
個人に関連付けられた前記ワイヤレス識別情報送信機のユニークなデバイス識別子と、前記サーバと共有される秘密鍵と、カウンタとを使用するアルゴリズムを介して、定期的にローリング識別子を生成することと、
前記ワイヤレス識別情報送信機の前記ローリング識別子を含む短距離ワイヤレス信号を、前記第１の送受信機を介して定期的にブロードキャストすることと
を備える動作を実行するように、プロセッサ実行可能命令によって構成され、
前記近接ブロードキャスト受信機が、
第２のメモリと、
前記ワイヤレス識別情報送信機と短距離ワイヤレス信号を交換するように構成された第２の送受信機と、
前記サーバと信号を交換するように構成されたネットワークデバイスと、
前記第２のメモリ、前記第２の送受信機、および前記ネットワークデバイスに結合された第２のプロセッサとを備え、前記第２のプロセッサが、
近接の範囲内の前記ワイヤレス識別情報送信機によってブロードキャストされる前記ローリング識別子を含む前記短距離ワイヤレス信号を、前記第２の送受信機を介して受信することと、
前記受信された信号に応答してサイティングメッセージを生成することと、ここにおいて、前記サイティングメッセージは前記ローリング識別子と関連するデータとを含む、
前記ネットワークデバイスを使用し、長距離通信を介して前記サイティングメッセージを送信することと
を備える動作を実行するように、プロセッサ実行可能命令によって構成され、
前記サーバが、
ユーザに関連付けられた前記プロファイル情報を記憶することと、
前記ローリング識別子を含む前記サイティングメッセージを前記サーバにおいて受信することと、
前記ローリング識別子に基づいて、前記ワイヤレス識別情報送信機が前記ユーザに関連付けられているかどうかを前記サーバにおいて判定することと、
前記近接ブロードキャスト受信機に関する前記サイティングメッセージ内に含まれる情報に基づいて、前記サイティングメッセージが登録されたサービスに関するものであるかどうかを前記サーバにおいて判定することと、
前記ワイヤレス識別情報送信機が前記ユーザに関連付けられていて、前記サイティングメッセージが前記登録されたサービスに関するものであるときに、前記登録されたサービスに関連のある、前記ユーザに関連付けられた前記記憶されたプロファイル情報内の関連のあるプロファイル情報を識別することと、
前記識別された関連のあるプロファイル情報を含むメッセージを送信することと
を備える動作を実行するようにサーバ実行可能命令によって構成される、システム。
［Ｃ４２］
前記関連のあるプロファイル情報が、個人のデモグラフィックス、関心、生年月日、住居、医療情報、健康状態、顧客の選好、ならびに衣類および靴のサイズの情報のうちの少なくとも１つを含む、上記Ｃ４１に記載のシステム。
［Ｃ４３］
前記登録されたサービスに関連のある前記ユーザに関連付けられた前記記憶されたプロファイル情報内の関連のあるプロファイル情報を識別することが、
前記登録されたサービスに対応するカテゴリを識別することと、ここにおいて、カテゴリは、提供されるサービス、提供される製品、事業のタイプ、デモグラフィックス、関心、および前記登録されたサービスのターゲットオーディエンスのうちの少なくとも１つを記述する、
前記識別されたカテゴリを前記ユーザに関連付けられた前記プロファイル情報と照合することとを備えるように動作を実行するように、前記サーバがサーバ実行可能命令によって構成される、上記Ｃ４１に記載のシステム。
［Ｃ４４］
前記ユーザに関連付けられた前記プロファイル情報を記憶することが、前記プロファイル情報を含む登録の間に前記ユーザから受け取られるデータを記憶することを備えるように動作を実行するように、前記サーバがサーバ実行可能命令によって構成される、上記Ｃ４１に記載のシステム。
［Ｃ４５］
前記サーバが、オンラインソースから前記ユーザに関する前記プロファイル情報を自動的に取得することをさらに備える動作を実行するようにサーバ実行可能命令によって構成され、前記オンラインソースが、ソーシャルネットワーキングアカウントおよび買物ウェブサイトのうちの少なくとも１つを含む、上記Ｃ４１に記載のシステム。
［Ｃ４６］
前記サーバが、前記ユーザからのプロファイル許可を記憶することをさらに備える動作を実行するように、サーバ実行可能命令によって構成され、
前記ワイヤレス識別情報送信機が前記ユーザに関連付けられていて、前記サイティングメッセージが前記登録されたサービスに関するものであるときに、前記登録されたサービスに関連のある前記ユーザに関連付けられた前記記憶されたプロファイル情報内の関連のあるプロファイル情報を識別することが、前記ワイヤレス識別情報送信機が前記ユーザに関連付けられていて、前記サイティングメッセージが前記登録されたサービスに関するものであるときに、前記登録されたサービスと関連がある前記ユーザと関連付けられ前記ユーザからの前記記憶されたプロファイル許可によって承認される、前記記憶されたプロファイル情報内の前記関連のあるプロファイル情報を識別することを備えるように動作を実行するように、前記サーバがサーバ実行可能命令によって構成される、上記Ｃ４１に記載のシステム。
［Ｃ４７］
前記識別された関連のあるプロファイル情報を含むメッセージを送信することが、前記識別された関連のあるプロファイル情報を含む前記登録されたサービスに関連付けられたローカルコンピューティングデバイスに前記メッセージを送信することを備えるように動作を実行するように、前記サーバがサーバ実行可能命令によって構成され、前記ローカルコンピューティングデバイスが、販売時点情報管理デバイス、前記登録されたサービスの従業員によって使用されるモバイルデバイス、および前記登録されたサービスに関連付けられた前記近接ブロードキャスト受信機のうちの少なくとも１つである、上記Ｃ４１に記載のシステム。
［Ｃ４８］
前記サーバが、
前記ワイヤレス識別情報送信機が前記ユーザに関連付けられていて、前記サイティングメッセージが前記登録されたサービスに関するものであるときに、前記ワイヤレス識別情報送信機が前記登録されたサービスに関連付けられた販売時点情報管理デバイスの近くにあるかどうかを判定することをさらに備える動作を実行するようにサーバ実行可能命令によって構成され、
前記識別された関連のあるプロファイル情報を含むメッセージを送信することが、前記ワイヤレス識別情報送信機の近くにある前記販売時点情報管理デバイスに前記メッセージを送信することを備えるように動作を実行するように、前記サーバがサーバ実行可能命令によって構成され、
前記ユーザに関連付けられた前記識別された関連のあるプロファイル情報が、前記ユーザの識別情報を確認するための決済認証情報を含む、上記Ｃ４１に記載のシステム。
［Ｃ４９］
前記決済認証情報が、住所情報、電子メールアドレス、写真、署名のサンプル、オーディオサンプル、クレジットカード情報、および推奨される銀行口座情報のうちの少なくとも１つを含む、上記Ｃ４８に記載のシステム。
［Ｃ５０］
サーバと、
ワイヤレス識別情報送信機と、
近接ブロードキャスト受信機とを備えるシステムであって、
前記ワイヤレス識別情報送信機が、
第１のメモリと、
前記近接ブロードキャスト受信機によって受信されることが可能な短距離ワイヤレス信号をブロードキャストするように構成された第１の送受信機と、
前記第１のメモリおよび前記第１の送受信機に結合された第１のプロセッサとを備え、前記第１のプロセッサが、
個人に関連付けられた前記ワイヤレス識別情報送信機のユニークなデバイス識別子と、前記サーバと共有される秘密鍵と、カウンタとを使用するアルゴリズムを介して、定期的にローリング識別子を生成することと、
前記ワイヤレス識別情報送信機の前記ローリング識別子を含む短距離ワイヤレス信号を、前記第１の送受信機を介して定期的にブロードキャストすることと
を備える動作を実行するように、プロセッサ実行可能命令によって構成され、
前記近接ブロードキャスト受信機が、
第２のメモリと、
前記ワイヤレス識別情報送信機と短距離ワイヤレス信号を交換するように構成された第２の送受信機と、
前記サーバと信号を交換するように構成されたネットワークデバイスと、
前記第２のメモリ、前記第２の送受信機、および前記ネットワークデバイスに結合された第２のプロセッサとを備え、前記第２のプロセッサが、
近接の範囲内の前記ワイヤレス識別情報送信機によってブロードキャストされる前記ローリング識別子を含む前記短距離ワイヤレス信号を、前記第２の送受信機を介して受信することと、
前記受信された信号に応答してサイティングメッセージを生成することと、ここにおいて、前記サイティングメッセージは前記ローリング識別子と関連するデータとを含む、
前記ネットワークデバイスを使用し、長距離通信を介して前記サイティングメッセージを送信することと
を備える動作を実行するように、プロセッサ実行可能命令によって構成され、
前記サーバが、
前記ローリング識別子を含む前記サイティングメッセージを前記サーバにおいて受信することと、
前記ワイヤレス識別情報送信機の前記ローリング識別子に基づいて第１のプロファイルを識別することと、
前記サイティングメッセージ内に含まれる前記近接ブロードキャスト受信機に関する情報に基づいて、第２のプロファイルを識別することと、
前記第１のプロファイルの許可に基づいて、共有されることが承認された、前記第１のプロファイルからの関連のあるプロファイル情報を識別することと、
前記第２のプロファイルの許可に基づいて、共有されることが承認された、前記第２のプロファイルからの関連のあるプロファイル情報を識別することと、
識別された、共有されることを承認された前記第１のプロファイルからの関連のあるプロファイル情報があるときに、前記第２のプロファイルに関連付けられた第１のデバイスに第１のメッセージを送信することと、
識別された、共有されることを承認された前記第２のプロファイルからの関連のあるプロファイル情報があるときに、前記第１のプロファイルに関連付けられた第２のデバイスに第２のメッセージを送信することと
を備える動作を実行するように、サーバ実行可能命令によって構成される、システム。
［Ｃ５１］
近接度に基づいてユーザに関連付けられたプロファイル情報を提供するためのモバイルデバイスのための方法であって、
前記モバイルデバイス内に前記プロファイル情報をローカルに記憶することと、
近接したデバイスから短距離ワイヤレスメッセージを受信することと、
前記受信されたメッセージに基づいて、共有されることが承認された、前記記憶されたプロファイル情報内の関連のあるプロファイル情報を識別することと、
共有されることが承認された前記識別された関連のあるプロファイル情報を含む応答メッセージを送信することとを備える、方法。
［Ｃ５２］
近接度に基づいてユーザに関連付けられたプロファイル情報を提供するように構成されたモバイルデバイスであって、
前記モバイルデバイス内に前記プロファイル情報をローカルに記憶するための手段と、
近接したデバイスから短距離ワイヤレスメッセージを受信するための手段と、
前記受信されたメッセージに基づいて、共有されることが承認された、前記記憶されたプロファイル情報内の関連のあるプロファイル情報を識別するための手段と、
共有されることが承認された前記識別された関連のあるプロファイル情報を含む応答メッセージを送信するための手段とを備える、モバイルデバイス。
［Ｃ５３］
近接度に基づいてユーザに関連付けられたプロファイル情報を提供するように構成されたモバイルデバイスであって、
メモリと、
前記メモリに結合されたプロセッサとを備え、前記プロセッサが、
前記モバイルデバイス内に前記プロファイル情報をローカルに記憶することと、
近接したデバイスから短距離ワイヤレスメッセージを受信することと、
前記受信されたメッセージに基づいて、共有されることが承認された、前記記憶されたプロファイル情報内の関連のあるプロファイル情報を識別することと、
共有されることが承認された前記識別された関連のあるプロファイル情報を含む応答メッセージを送信することとを備える動作を実行するように、プロセッサ実行可能命令によって構成される、モバイルデバイス。
［Ｃ５４］
近接度に基づいてユーザに関連付けられたプロファイル情報を提供するための動作をモバイルデバイスに実行させるように構成された、プロセッサ実行可能命令を記憶した非一時的プロセッサ可読記憶媒体であって、前記動作が、
前記モバイルデバイス内に前記プロファイル情報をローカルに記憶することと、
近接したデバイスから短距離ワイヤレスメッセージを受信することと、
前記受信されたメッセージに基づいて、共有されることが承認された、前記記憶されたプロファイル情報内の関連のあるプロファイル情報を識別することと、
共有されることが承認された前記識別された関連のあるプロファイル情報を含む応答メッセージを送信することとを備える、非一時的プロセッサ可読記憶媒体。